(57)【要約】      （修正有）【課題】棒状に収束して折畳み可能とした折畳み椅子を提供する。【解決手段】四側面の各交差脚杆１１の上下端を、隣接側面の交差脚杆の上下端と同一ジョイント１２ａ，１２ｂに枢結すると共に、背面左右の上下ジョイントに上方ジョイント１２ａに対してスライド自在となり脚開拡時に上方ジョイントより上方へ突出する背縦杆１３を設け、前面の交差脚杆１１を上方ジョイント枢結箇所より上方へ延設して肘掛受部１４を設けた折畳み脚１を形成し、折畳み脚１の上方ジョイント１２ａに座面布２１を連結し、左右背縦杆１３の間に背凭れ布２２を張設し、背縦杆１３と前面交差脚杆を延設して設けた肘掛受部１４との間に肘掛布２３を架設してなる折畳み椅子において、折畳み収納に支障が無く汎用性を有する付属品付設機能を備えさせる。また、肘掛布２３における前面交差脚杆の肘掛受部１４の近傍に、ループ体や小透孔で形成した物品吊下げ部２４を設けて、所望の物品を吊下げ装着する。【選択図】図１
0003212218.tif 000002
【実用新案登録請求の範囲】
【請求項１】
四側面の各交差脚杆の上下端を、隣接側面の交差脚杆の上下端と同一ジョイントに枢結すると共に、背面左右の上下ジョイントに上方ジョイントに対してスライド自在となり脚開拡時に上方ジョイントより上方へ突出する背縦杆を設け、前面の交差脚杆を上方ジョイント枢結箇所より上方へ延設して肘掛受部を設けた折畳み脚を形成し、折畳み脚の上方ジョイントに座面布を連結し、左右背縦杆間に背凭れ布を張設し、背縦杆と前面交差脚杆を延設して設けた肘掛受部との間に肘掛布を架設してなる折畳み椅子において、肘掛布における前面交差脚杆の肘掛受部近傍に、物品吊下部を設けてなることを特徴とする折畳み椅子。
【請求項２】
物品吊下部がループ体である請求項１記載の折畳み椅子。
【請求項３】
物品吊下部が小透孔である請求項１記載の折畳み椅子。
【考案の詳細な説明】
【技術分野】
【０００１】
本考案は、棒状に収束して折畳み可能とした折畳み椅子に関するものである。
【背景技術】
【０００２】
棒状に収束する折畳み椅子は、四側面の交差脚杆の上下端を、隣接側面の交差脚杆の端部を同一ジョイントに枢結すると共に、背面左右の上下ジョイントに上方ジョイントがスライド自在となるように背縦杆を設け、座面布を各上方ジョイントに連結し、背縦杆に背凭れ部材を装着して構成されている（特許文献１）。
【０００３】
また更に肘掛を備える構成として、前面交差脚杆を上方に延長し、背縦杆と前面交差脚杆の延長部間に座面布や背凭れ部と同様の材質の肘掛部を架設してなるものが知られている（特許文献２）。
【先行技術文献】
【特許文献】
【０００４】
【特許文献１】登録実用新案第３０３３６３０号公報。
【特許文献２】特表２０１２−５１７８６３号公報
【考案の概要】
【考案が解決しようとする課題】
【０００５】
布状座面布を採用して棒状に収束する折畳み椅子において、小物収納用等の付属構成として、前記の特許文献２に示されているように肘掛部材にコップ受筒や小物収納袋が設けられている。即ち棒状に折り畳むに際して支障が生じない形態で付設されているものである。
【０００６】
しかし特定の物品を対象とした付設構成であり汎用性に欠ける。そこで本考案は折畳み収納に支障が無く汎用性を有する付属品付設機能を備える新規な折畳み椅子を提案したものである。
【課題を解決するための手段】
【０００７】
本考案に係る折畳み椅子は、四側面の各交差脚杆の上下端を、隣接側面の交差脚杆の上下端と同一ジョイントに枢結すると共に、背面左右の上下ジョイントに上方ジョイントに対してスライド自在となり脚開拡時に上方ジョイントより上方へ突出する背縦杆を設け、前面の交差脚杆を上方ジョイント枢結箇所より上方へ延設して肘掛受部を設けた折畳み脚を形成し、折畳み脚の上方ジョイントに座面布を連結し、左右背縦杆間に背凭れ布を張設し、背縦杆と前面交差脚杆を延設して設けた肘掛受部との間に肘掛布を架設してなる折畳み椅子において、肘掛布における前面交差脚杆の肘掛受部近傍に、物品吊下部を設けてなることを特徴とするものである。
【０００８】
而して前記の折畳み椅子は従前の物と同様に交差脚杆の開拡で使用状態となり、閉窄で棒状の収束状態となる。特に使用状態では肘掛布に物品吊下げ部を設けているので、所望の物品を吊下げ、着座のまま当該物品の使用が可能となるものである。
【考案の効果】
【０００９】
本考案の構成は上記のとおり折り畳み椅子において肘掛布に物品吊下げ部を設けて、付属品付設機能を付与したもので、所望の物品を吊下げ装着して着座状態で当該物品を使用に供することができたものである。
【図面の簡単な説明】
【００１０】
【図１】本考案の第一実施例の全体説明図。
【図２】同使用状態の説明図。
【図３】同第二実施例の全体説明図。
【図４】同使用状態の説明図。
【考案を実施するための形態】
【００１１】
次に本考案の実施形態について説明する。図１，２は第一実施例で折畳み椅子は、金属パイプで形成された折畳み脚１、前記折畳み脚１に帆布等で形成した座部２を装着してなるものである。
【００１２】
折畳み脚１は、脚対応の四側面に各々交差脚杆１１を配すると共に、交差脚杆１１の各上下端を、隣接側面の交差脚杆１１の上下各端部を、同一の上下ジョイント１２ａ，１２ｂに枢結する。
【００１３】
また前記交差脚杆１１の他に背縦杆１３を組み込んでなるもので、背縦杆１３は、背面の下方ジョイント１２ｂから立設して上方ジョイント１２ａに対してスライド自在連結し、且つ脚開拡時に上方ジョイント１２ａより上方へ突出する長さに設けたものである。
【００１４】
更に前面の交差脚杆１１は、上方ジョイント１２ａとの枢結箇所よりさらに上方に突出する肘掛受部１４を延設する。こま肘掛受部１４は、先部を折曲して折畳み脚１を開拡した際に水平となるように設けているものである。
【００１５】
座部２は、座面布２１と背凭れ布２２と肘掛布２３を備えたもので、座面布２１は折畳み脚１を開拡した際に、四隅の上方ジョイント１２ａに止着してなり、背凭れ布２２は下縁を座面布の後方部分と縫着して連結し、左右側縁を背縦杆１３に連結して左右の背縦杆１３間に張設してなるものである。
【００１６】
また肘掛布２３は、背縦杆１３と肘掛受部１４との間に架設したもので、特に肘掛受部１４近傍に、ループ体で形成した物品吊下げ部２４を設けたものである。
【００１７】
また図３，４は第二実施例を示すもので、この第二実施例は肘掛布２３に小透孔で形成した物品吊下げ部２４ａを設けたものである。
【００１８】
尚座部２は上記構成に限定されるものではなく、座面布２１、背凭れ布２２、肘掛布２３は全て連結した状態で形成して折畳み脚１に連結装着しても良いし、また座部２の各布を分離した状態で形成し、折畳み脚１に装着するようにしても良い。
【００１９】
而して前記両実施例の折畳み椅子は従前の椅子と同様に交差脚杆１１を開拡すると使用状態となり、閉窄すると全体が棒状に収束して収納及び運搬する形態となる。
【００２０】
特に使用状態において肘掛布２３に物品吊下げ部２４（２４ａ）を設けているので、着座状態で使用する物品（例えばテッシュホルダー）Ａを前記物品吊下げ部２４（２４ａ）に装着して吊下げることで、当該物品Ａを備えた折畳み椅子となる。従って物品吊下げ部２４（２４ａ）を設けることで、折畳み椅子に付属品（所望物品Ａ）を容易に付設することができるものである。
【符号の説明】
【００２１】
１      折畳み脚
１１    交差脚杆
１２ａ  上方ジョイント
１２ｂ  下方ジョイント
１３    背縦杆
１４    肘掛受部
２      座部
２１    座面布
２２    背凭れ布
２３    肘掛布
２４，２４ａ  物品吊下げ部
【図１】
0003212218.tif 000003
【図２】
0003212218.tif 000004
【図３】
0003212218.tif 000005
【図４】
0003212218.tif 000006